(57)【特許請求の範囲】
【請求項１】
杭に着脱可能に取り付けられる支持具と、
前記支持具との間で、水糸が取り付けられる板材を挟み込んで固定する留具とを備える水糸張り具であって、
前記支持具は、杭にはめ込まれて固定される杭挿通部と、この杭挿通部の外周面に固定された爪部材と、この爪部材から突出し、前記板材に形成された穴に通されるねじ棒状の軸部とを備え、
前記爪部材は、爪部材を構成する矩形板の角部を折り曲げて爪部が形成され、
前記爪部は、同一円周上に複数配置されており、
前記軸部は、前記複数の爪部の中心部から突出しており、
前記留具は、前記軸部にねじ込まれて前記支持具に着脱可能に取り付けられていて、
前記留具の軸部基端側には短円筒状で環状の留輪を有し、
前記軸部に前記留具をねじ込んだ状態で、前記爪部が前記板材に刺された状態になるとともに、
前記留具の前記留輪が、前記支持具の前記爪部が配置される円周の径と対応した位置に配置される
ことを特徴とする水糸張り具。
【発明の詳細な説明】
【技術分野】
【０００１】
本発明は、建築現場や土木工事などで使用される遣り方や丁張りに用いられる水糸張り具に関するものである。
【背景技術】
【０００２】
従来、たとえば家を建てる際、基礎を水平に成形するために、遣り方を設けて、水糸を張る作業が行われている。
具体的には、多数の木製の杭を敷地の外周に打ち込み、各杭を架け渡すように木製の板（水貫板）を釘で杭に固定している。そして、その板に水糸の一端部を取り付けていた。
【発明の概要】
【発明が解決しようとする課題】
【０００３】
しかしながら、従来の遣り方の場合、板を杭に釘で固定する必要があるため、手間と時間がかかっていた。
【０００４】
本発明が解決しようとする課題は、水糸の端部が取り付けられる板材を容易に設置可能な水糸張り具を提供することにある。
【課題を解決するための手段】
【０００５】
本発明は、前記課題を解決するためになされたもので、杭に着脱可能に取り付けられる支持具と、前記支持具との間で、水糸が取り付けられる板材を挟み込んで固定する留具とを備える水糸張り具であって、前記支持具は、杭にはめ込まれて固定される杭挿通部と、この杭挿通部の外周面に固定された爪部材と、この爪部材から突出し、前記板材に形成された穴に通されるねじ棒状の軸部とを備え、前記爪部材は、爪部材を構成する矩形板の角部を折り曲げて爪部が形成され、前記爪部は、同一円周上に複数配置されており、前記軸部は、前記複数の爪部の中心部から突出しており、前記留具は、前記軸部にねじ込まれて前記支持具に着脱可能に取り付けられていて、前記留具の軸部基端側には短円筒状で環状の留輪を有し、前記軸部に前記留具をねじ込んだ状態で、前記爪部が前記板材に刺された状態になるとともに、前記留具の前記留輪が、前記支持具の前記爪部が配置される円周の径と対応した位置に配置されることを特徴とする水糸張り具である。
【発明の効果】
【０００９】
本発明によれば、水糸の端部が取り付けられる板材の設置が容易な水糸張り具を提供できる。
【図面の簡単な説明】
【００１０】
【図１】本発明の水糸張り具の一実施例を示す斜視図である。
【図２】図１の水糸張り具の左側面図である。
【図３】図１の水糸張り具の分解斜視図である。
【図４】図１の水糸張り具の使用状態を示す斜視図である。
【図５】図４の概略横断面図である。
【発明を実施するための形態】
【００１１】
以下、本発明の水糸張り具の一実施例について図面に基づいて具体的に説明する。
【００１２】
図１から図３は、本発明の水糸張り具の一実施例を示す図であり、図１は斜視図、図２は左側面図、図３は分解斜視図である。
また、図４は、図１の水糸張り具の使用状態を示す斜視図であり、図５は、図４の概略横断面図である。
【００１３】
本実施例の水糸張り具１は、地面に打ち込まれる杭に着脱可能に取り付けられる支持具５と、この支持具５に取り付けられ、板材を支持具５との間で挟んで固定する留具９とを主要部に備える。
【００１４】
支持具５は、杭が通される杭挿通部１３と、この杭挿通部１３に固定される爪部材１５と、ネジ棒状の軸部１７とを備える。
【００１５】
杭挿通部１３は、平面視略Ｃ字形の筒体とされる。
具体的には、杭挿通部１３は、上下方向に開口する円筒材の周壁の一部が軸方向に切り欠かれた平面視略Ｃ字形とされる。杭挿通部１３は、前記略Ｃ字の周方向の開口端部同士が、近接および離間可能に撓み変形可能とされる。
【００１６】
杭挿通部１３は、その開口両端部から径方向外側へ突出して矩形板状の取付片２１，２３がそれぞれ形成されている。この一対の取付片２１，２３のうち、一方の取付片２１には厚さ方向に貫通して穴２５が形成されている（図５）。また、他方の取付片２３には、一方の取付片２１の穴２５と同軸線上にネジ穴２７が形成されている。
【００１７】
図４に示すように、杭挿通部１３の内穴に、地面に打ち込まれた杭Ｐが通される。
そして、固定部材３１により、杭挿通部１３が杭Ｐに固定される。
【００１８】
図２および図５に示すように、固定部材３１は、ボルト３３にハンドル部３５が取り付けられた構成とされる。
具体的には、ハンドル部３５は、板状の中央部から外方へ突出して、略三角形状の操作片３９が周方向に等間隔に離隔して、５つ形成された形状とされる。
ハンドル部３５の中央部には、貫通穴３５ａが形成されている。この貫通穴３５ａに、円筒状の案内部４１の一端部がはめ込まれて固定され、案内部４１は、ハンドル部３５の板面に対して垂直に突出して設けられている。
【００１９】
ハンドル部３５に固定された案内部４１の内穴にボルト３３の軸部４５が通され、ボルト３３の頭部４７とハンドル部３５が溶接により一体化されて固定部材３１が形成されている。ボルト３３の軸部４５は、案内部４１から軸方向外側へ突出して設けられている。
【００２０】
固定部材３１は、その軸部４５が、一方の取付片２１の穴２５から通されて、他方の取付片２３のネジ穴２７にねじ込まれる。これにより、取付片２１，２３同士が近接し、ひいては杭挿通部１３が若干縮径して、杭Ｐに杭挿通部１３が固定される。
【００２１】
なお、固定部材３１には、ボルトをそのまま使用してもよいし、ノブボルト、グリップボルトまたは蝶ボルトなどの各種操作ボルトを使用してもよい。
【００２２】
爪部材１５は、矩形状の板材により形成されている。
本実施例では、爪部材１５は、正方形の板材により形成されており、板材の四つ角が板面に対して直角に屈曲されて三角形状の爪部５３が４つ形成されている。
【００２３】
各爪部５３の頂点部５３ａは、板面から同じ突出高さとされる。
また、各爪部５３の頂点部５３ａは、同一円周上に配置される。
【００２４】
この爪部材１５の中央部にネジ棒状の軸部１７が設けられる。
【００２５】
本実施例では、軸部１７として、ボルトの軸部が用いられる。
具体的には、図５に示すように、爪部材１５の中央部に六角形の穴１５ａが形成されており、その穴１５ａに六角ボルト５７の頭部５９がはめ込まれる。そして、六角ボルト５７の頭部５９に爪部材１５が溶接されて固定され、さらに、六角ボルト５７の頭部５９が杭挿通部１３の外周面に溶接されて固定される。このようにして、杭挿通部１３の外周面から、径方向外側へ突出して軸部１７が設けられる。
また、爪部材１５が杭挿通部１３に固定された状態では、左右に離隔した爪部５３，５３が、上下に２つずつ配置される。
【００２６】
留具９は、環状の留輪６５と、この留輪６５に設けられるハンドル部６７と、このハンドル部６７に設けられ、前記軸部１７がねじ込まれる筒状部６９とを備える。
【００２７】
留輪６５は、短円筒状とされ、周壁の厚みの中心部における径は、４つの爪部５３の頂点部５３ａを通る円と同径とされる。
【００２８】
ハンドル部６７は、板状の中央部から外方へ突出して、略三角形状の操作片７５が、周方向に等間隔に離隔して５つ形成された形状とされる。
【００２９】
ハンドル部６７の中央部には、貫通穴６７ａが形成されている。
【００３０】
筒状部６９は、円筒状とされ、その基端部には径方向外側へ拡径して鍔部７９が形成されている。また、筒状部６９の内穴８１は、ネジ穴とされる。
【００３１】
筒状部６９は、ハンドル部６７の貫通穴６７ａにはめ込まれて鍔部７９がハンドル部６７に溶接されて固定され、ハンドル部６７から突出して設けられる。
【００３２】
そして、ハンドル部６７に留輪６５が固定される。
具体的には、留輪６５は、ハンドル部６７に筒状部６９と同心円状に重ね合わされて、溶接されてハンドル部６７に固定される。
【００３３】
杭Ｐに固定された支持具５の軸部１７に板材（水貫）１０１を介して、留具９が支持具５に取り付けられる。具体的には、以下のとおりである。
【００３４】
まず、板材１０１は、長方形状の木製とされ、その短手方向中央部（図３の上下方向中央部）には、貫通穴１０３が、長手方向に離隔して複数形成されている。
【００３５】
そして、板材１０１の貫通穴１０３に軸部１７が通されて板材１０１が支持具５に保持された状態で、支持具５に、留具９が取り付けられる。具体的には、留具９の筒状部６９の内穴８１に、支持具５の軸部１７がねじ込まれるように、ハンドル部６７を操作して留具９を回転させる。
【００３６】
留具９を回転させていくことで、留具９は、軸部１７に沿って支持具５側へ移動し、留輪６５が板材１０１に当接して、板材１０１を支持具５側に押し込んでいく。これにより、図５に示すように、爪部５３の頂点部５３ａが板材１０１に突き刺さり、板材１０１が爪部５３と留輪６５に挟み込まれて固定される。
このように本実施例の水糸張り具１を介して杭Ｐに固定された板材１０１に釘１０７が打ちつけられ、この釘１０７に水糸１０９の一端部が取り付けられる。
【００３７】
本実施例では、４つの爪部５３が、留輪６５の円周上に位置することで、板材１０１をしっかりと固定することができる。また、釘を使用せずに、板材１０１を設置することができる。さらに、板材１０１に複数の穴１０３を形成しておくことで、一枚の板材１０１を複数回使用することができる。
【００３８】
本実施例の水糸張り具１は、家を建築する際の基礎を形成する際に使用されるほか、道路工事や、Ｕ字溝を設置する工事など各種の現場で使用することが可能である。
【００３９】
本発明の水糸張り具は、上記実施例の構成に限らず、適宜変更可能である。
たとえば、爪部材１５の爪部５３の個数や形状は適宜変更可能である。
具体的には、上記実施例では、爪部材１５は、４つの爪部５３を有したが、３つや、５つ以上としてもよく、爪部５３の個数は適宜変更可能である。たとえば、爪部材１５を三角形状の板材により形成する場合、その角部を屈曲させて、３つの爪部５３を有する構成となる。また、爪部材１５を円筒材により形成し、その軸方向一端部を刃状に形成して爪部としてもよい。
【００４０】
また、上記実施例では、爪部材１５の爪部５３は、同一円周上に配置されたが、その配置は適宜変更可能である。さらに、留輪６５は、爪部材１５の各爪部５３を通る円と同径としたが、若干大径または小径に形成してもよい。
【００４１】
また、上記実施例では、各部材は、金属製とされたが、合成樹脂により形成してもよい。
【符号の説明】
【００４２】
１    水糸張り具
５    支持具
９    留具
１５    爪部材
１７    軸部
５３    爪部
【図１】
0006014108.tif 000002
【図２】
0006014108.tif 000003
【図３】
0006014108.tif 000004
【図４】
0006014108.tif 000005
【図５】
0006014108.tif 000006